【手続補正書】
【提出日】平成21年12月22日(2009.12.22)
【手続補正１】
【補正対象書類名】特許請求の範囲
【補正対象項目名】全文
【補正方法】変更
【補正の内容】
【特許請求の範囲】
【請求項１】
サンプル分析装置であって、
スロットを有する計器（１０）と、
前記スロットに挿入するカートリッジ（１４）であって、該カートリッジ（１４）が、エネルギ源からのエネルギを透過するための１つ又は複数の窓を備えた流動チャネル（５０）を有する、カートリッジ（１４）と、
光源（２２）、超音波変換器（８２６）、圧力源（３６）の少なくとも1つを含むエネルギ源であって、該エネルギ源は、前記エネルギを透過するための1つ又は複数の窓に近接して設置されている、エネルギ源と、
光源からの光、超音波エネルギ、圧力、流速又はサンプル・インピーダンスの少なくとも１つを検出する検出器（２４、８２８、１０１０、１１４）であって、該検出器は、前記エネルギを透過するための１つ又は複数の窓に近接して設置されている、検出器と、
前記計器（１０）及び分析装置に関連付けられた位置合せ構成（２６、２８）であって、前記カートリッジが前記スロット内に挿入される際、計器とカートリッジの種々のコンポーネントが適正に位置合せされることを保証する、位置合せ構成（２６、２８）と、
前記分析装置内のサンプル又は試薬の流れを制御可能な電子部品パッケージ（４０）であって、前記検出器に応答を求め、前記検出器の示数に一部は基づいて値を計算し、該値を、ディスプレー、有線接続された遠隔サイト、無線接続された遠隔サイトの少なくとも１つに送信する、電子部品パッケージ（４０）と、
を備えており、
前記計器とカートリッジの少なくとも一方は、サンプル又は試薬を流動チャネル（５０）の中に及びそれを通して導入及び推進可能な流動インデューサ（４４）を含み、
前記サンプルは、血液又は他の生物起源の液体である、
サンプル分析装置。
【請求項２】
サンプル分析装置であって、
スロットを有する計器（１０）と、
前記スロットに挿入するカートリッジ（１４）であって、該カートリッジ（１４）が、エネルギ源からのエネルギを透過するための１つ又は複数の窓を備えた流動チャネル（５０）を有する、カートリッジ（１４）と、
光源（２２）、超音波変換器（８２６）、圧力源（３６）の少なくとも１つを含むエネルギ源であって、該エネルギ源は、前記エネルギを透過するための１つ又は複数の窓に近接して設置されている、エネルギ源と、
光源からの光、超音波エネルギ、圧力、流速又はサンプル・インピーダンスの少なくとも１つを検出する検出器（２４、８２８、１０１０、１１４）であって、該検出器は、前記エネルギを透過するための１つ又は複数の窓に近接して設置されている、検出器と、
前記計器（１０）及び分析装置に関連付けられた位置合せ構成（２６、２８）であって、前記カートリッジが前記スロット内に挿入される際、計器とカートリッジの種々のコンポーネントが適正に位置合せされることを保証する、位置合せ構成（２６、２８）と、
前記分析装置内のサンプル又は試薬の流れを制御可能な電子部品パッケージ（４０）であって、前記検出器に応答を求め、前記検出器の示数に一部は基づいて値を計算し、該値を、ディスプレー、有線接続された遠隔サイト、無線接続された遠隔サイトの少なくとも１つに送信する、電子部品パッケージ（４０）と、
を備えており、
前記計器とカートリッジの少なくとも一方は、サンプル又は試薬を流動チャネル（５０）の中に及びそれを通して導入及び推進可能な流動インデューサ（４４）を含み、
前記サンプルは、血液又は他の生物起源の液体であり、
前記分析装置は、次の少なくとも１つ、即ち、計器位置、不適なカートリッジ、機器及びカートリッジ清浄度、不適なサンプル、不適正な試薬、気泡、凝固、汚染、流速、温度、湿度、ハードウエア機能、ソフトウエア機能、及び機器の較正の少なくとも１つについて検査を実施し、検査が許容限界内の値を返さない場合には、エラー指示を提示する、
サンプル分析装置
【請求項３】
サンプル分析装置であって、
スロットを有する計器（１０）と、
前記スロットに挿入するカートリッジ（１４）であって、該カートリッジ（１４）が、エネルギ源からのエネルギを透過するための１つ又は複数の窓を備えた流動チャネル（５０）を有する、カートリッジ（１４）と、
光源（２２）、超音波変換器（８２６）、圧力源（３６）の少なくとも１つを含むエネルギ源であって、該エネルギ源は、前記エネルギを透過するための１つ又は複数の窓に近接して設置されている、エネルギ源と、
光源からの光、超音波エネルギ、圧力、流速又はサンプル・インピーダンスの少なくとも１つを検出する検出器（２４、８２８、１０１０、１１４）であって、該検出器は、前記エネルギを透過するための１つ又は複数の窓に近接して設置されている、検出器と、
前記計器（１０）及び分析装置に関連付けられた位置合せ構成（２６、２８）であって、前記カートリッジが前記スロット内に挿入される際、計器とカートリッジの種々のコンポーネントが適正に位置合せされることを保証する、位置合せ構成（２６、２８）と、
前記分析装置内のサンプル又は試薬の流れを制御可能な電子部品パッケージ（４０）であって、前記検出器に応答を求め、前記検出器の示数に一部は基づいて値を計算し、該値を、ディスプレー、有線接続された遠隔サイト、無線接続された遠隔サイトの少なくとも１つに送信する、電子部品パッケージ（４０）と、
を備えており、
前記計器とカートリッジの少なくとも一方は、サンプル又は試薬を流動チャネル（５０）の中に及びそれを通して導入及び推進可能な流動インデューサ（４４）を含み、
前記サンプルは、血液又は他の生物起源の液体であり、
前記カートリッジは、多数の流動チャネル（５０）を含み、各流動チャネルは、それに関連付けられ、エネルギ源からのエネルギを透過するための少なくとも１つ又は複数の窓（３０）を有しており、
前記多数の流動チャネル（５０）及び関連付けられた窓、エネルギ源及び検出器は、異なる検査を実施するか、又は、多数回実施される同一の検査に関連する多数の値を提供するように構成されている、
サンプル分析装置。
【請求項４】
サンプル分析装置であって、
スロットを有する計器（１０）と、
前記スロットに挿入するカートリッジ（１４）であって、該カートリッジ（１４）が、エネルギ源からのエネルギを透過するための１つ又は複数の窓を備えた流動チャネル（５０）を有する、カートリッジ（１４）と、
光源（２２）、超音波変換器（８２６）、圧力源（３６）の少なくとも１つを含むエネルギ源であって、該エネルギ源は、前記エネルギを透過するための１つ又は複数の窓に近接して設置されている、エネルギ源と、
光源からの光、超音波エネルギ、圧力、流速又はサンプル・インピーダンスの少なくとも１つを検出する検出器（２４、８２８、１０１０、１１４）であって、該検出器は、前記エネルギを透過するための１つ又は複数の窓に近接して設置されている、検出器と、
前記計器（１０）及び分析装置に関連付けられた位置合せ構成（２６、２８）であって、前記カートリッジが前記スロット内に挿入される際、計器とカートリッジの種々のコンポーネントが適正に位置合せされることを保証する、位置合せ構成（２６、２８）と、
前記分析装置内のサンプル又は試薬の流れを制御可能な電子部品パッケージ（４０）であって、前記検出器に応答を求め、前記検出器の示数に一部は基づいて値を計算し、該値を、ディスプレー、有線接続された遠隔サイト、無線接続された遠隔サイトの少なくとも１つに送信する、電子部品パッケージ（４０）と、
を備えており、
前記計器とカートリッジの少なくとも一方は、サンプル又は試薬を流動チャネル（５０）の中に及びそれを通して導入及び推進可能な流動インデューサ（４４）を含み、
前記サンプルは、血液又は他の生物起源の液体であり、
前記カートリッジは、１つ又は複数の、マニフォルド、弁（１１０、１１２、１１８）、ポンプ要素（３６）、交差領域（１３０、１６０）、流体力学的収束要素（１４０）、気泡トラップ（１１９１）、又は分岐路（１１６）を含み、
前記計器は、検査の選択や開始以外は操作者の介入なしに１つ又は複数のサンプルを分析する、
サンプル分析装置。